(57)【特許請求の範囲】
【請求項１】
遊技者が腰掛ける着座部を有し、多数の遊技機が並べられた遊技場において各遊技機に対応するように遊技機の正面に設置される遊技場用椅子であって、
着座部は、ヒンジ部を介して姿勢が変更される座面形成部と、当該座面形成部を所定の方向に付勢する付勢機構を有し、
座面形成部は、遊技機に対して左及び／又は右方向に傾倒し、傾倒した姿勢たる収納姿勢と、着座可能な姿勢たる腰掛け姿勢とをとるものであり、
付勢機構は、座面形成部が収納姿勢をとる方向に付勢し、無負荷状態の座面形成部を収納姿勢に維持可能なものであり、
座面形成部に対して付勢方向に対抗する外力が掛かると、座面形成部を腰掛け姿勢に変更できるものであり、
座面形成部は、ヒンジ部を介して屈曲するもので、遊技機に対して左右方向両端側が互いに近接・離反する方向に移動し、屈曲した姿勢たる収納姿勢と、着座可能なほぼ平坦な姿勢たる腰掛け姿勢とをとるものであり、
座面形成部に遊技者が腰掛けると、座面形成部は腰掛け姿勢に変更されるものであり、
前記付勢機構は、バネと、１組の摺動体を有した直動部材とを備え、バネは１組の摺動体が互いに近接する方向に付勢するものであって、
前記座面形成部は、摺動体の動作に連動して姿勢が変更されるものであることを特徴とする遊技場用椅子。
【請求項２】
前記直動部材は、前記１組の摺動体の移動をガイドするレール部材を有し、
前記１組の摺動体は、前記レール部材に沿って移動可能であることを特徴とする請求項１に記載の遊技場用椅子。
【請求項３】
前記座面形成部は、前記ヒンジ部を介して２つの部材が回動可能に連結されていることを特徴とする請求項１又は２に記載の遊技場用椅子。
【発明の詳細な説明】
【技術分野】
【０００１】
本発明は、遊技場用椅子に関するもので、特に着座部の姿勢変更が可能な遊技場用椅子に関する。
【背景技術】
【０００２】
遊技場では、１人でも多くの遊技者にパチンコ機やスロット機等の遊技機を遊技してもらえるように、多数の遊技機が隙間なく設置されている。具体的には、遊技場は、所定の数の遊技機が連続的に列をなして並べられ、その列が遊技機群（所謂遊技機島）を形成して構成されている。
【０００３】
より具体的に説明すると、一般的に、遊技機島においては、各遊技機に隣接する位置に、遊技球やメダル等の遊技媒体を貸し出す貸出機等（以下台間機器という）が設置されているため、隣接する遊技機同士は、台間機器が有する幅程度の間隔を空けた配置とされている。即ち、この台間機器の幅は、４０ｍｍ〜５０ｍｍ程度であるため、隣接する遊技機同士の間に異なる機器が２台設置されたとしても、隣接する遊技機同士は広くても１００ｍｍ程度の間隔を空けた配置とされている。
【０００４】
ところで、遊技場には、前記した大きさの間隔を空けて設置された各遊技機に向かい合うように、１脚ずつの遊技場用椅子が配置されている。即ち、遊技場における各遊技場用椅子は、遊技機同士の間隔に依存する配置となるように設置されている。また、一般的に、遊技場用椅子の幅（遊技機の幅に対応する長さ）は、遊技機の幅（例えば、５２０ｍｍ）よりも若干短く設計されている。例えば、遊技場用椅子の幅は、３９０〜４５０ｍｍ程度である。
そのような事情に鑑みると、遊技機の設置位置に依存する遊技場用椅子同士の間隔は、狭い場合、１１０ｍｍ程度の大きさしか確保できない場合がある。そのため、現在の遊技場では、遊技者が椅子に腰掛ける際に、椅子同士の間隔が狭すぎる場合があり、座席に着きにくいという不満があった。
【０００５】
そこで、特許文献１には、椅子に対して上方からの負荷がない状態においては、遊技機の正面からずれた位置に待機（待機姿勢）し、遊技者が当該椅子に腰を掛けて負荷が発生すると、その負荷によって遊技機の正面に位置（遊技姿勢）するようにスライド移動する遊技場用椅子が開示されている。即ち、この椅子が採用された遊技場では、遊技者が腰掛ける際に、椅子は遊技機の正面からずれた待機姿勢にあるため、椅子同士の間隔が十分確保され、遊技者が座席に着きにくいと感じる不満が解消される。
【先行技術文献】
【特許文献】
【０００６】
【特許文献１】特開２００６−６８０８４号公報
【発明の概要】
【発明が解決しようとする課題】
【０００７】
しかしながら、特許文献１に記載の遊技場用椅子は、既に腰を掛けた遊技者（着座状態の遊技者）に隣接する椅子が空席の場合、その着座状態の遊技者に隣接する空席の椅子が、その着座状態の遊技者に対して圧迫感を与えてしまう不満があった。より具体的に説明すると、特許文献１に記載の遊技場用椅子は、付勢手段により常時右又は左方向に付勢されており、遊技者が着座していない待機姿勢のときは、遊技機に対して右側又は左側にずれた位置で待機している。そのため、着座状態の遊技者の隣の椅子が空席の場合、その空席の椅子は着座状態の遊技者に近接した位置で待機しており、着座状態の遊技者に対して従来よりも窮屈さを感じさせる場合があった。
【０００８】
そこで本発明では、従来技術の問題に鑑み、遊技者が着座する前の隣接した椅子同士の間隔を広く確保すると共に、既に着座した遊技者が隣接する椅子によって圧迫感を感じることがない遊技場用椅子を提供することを課題とする。
【課題を解決するための手段】
【０００９】
上記課題を解決するため、請求項１に係る発明は、遊技者が腰掛ける着座部を有し、多数の遊技機が並べられた遊技場において各遊技機に対応するように遊技機の正面に設置される遊技場用椅子であって、着座部は、ヒンジ部を介して姿勢が変更される座面形成部と、当該座面形成部を所定の方向に付勢する付勢機構を有し、座面形成部は、遊技機に対して左及び／又は右方向に傾倒し、傾倒した姿勢たる収納姿勢と、着座可能な姿勢たる腰掛け姿勢とをとるものであり、付勢機構は、座面形成部が収納姿勢をとる方向に付勢し、無負荷状態の座面形成部を収納姿勢に維持可能なものであり、座面形成部に対して付勢方向に対抗する外力が掛かると、座面形成部を腰掛け姿勢に変更できるものであり、座面形成部は、ヒンジ部を介して屈曲するもので、遊技機に対して左右方向両端側が互いに近接・離反する方向に移動し、屈曲した姿勢たる収納姿勢と、着座可能なほぼ平坦な姿勢たる腰掛け姿勢とをとるものであり、座面形成部に遊技者が腰掛けると、座面形成部は腰掛け姿勢に変更されるものであり、前記付勢機構は、バネと、１組の摺動体を有した直動部材とを備え、バネは１組の摺動体が互いに近接する方向に付勢するものであって、前記座面形成部は、摺動体の動作に連動して姿勢が変更されるものであることを特徴とする遊技場用椅子である。
すなわち、請求項１に係る発明は、遊技者が腰掛ける着座部を有し、多数の遊技機が並べられた遊技場において各遊技機に対応するように遊技機の正面に設置される遊技場用椅子であって、着座部は、ヒンジ部を介して姿勢が変更される座面形成部と、当該座面形成部を所定の方向に付勢する付勢機構を有し、座面形成部は、遊技機に対して左及び／又は右方向に傾倒し、傾倒した姿勢たる収納姿勢と、着座可能な姿勢たる腰掛け姿勢とをとるものであり、付勢機構は、座面形成部が収納姿勢をとる方向に付勢し、無負荷状態の座面形成部を収納姿勢に維持可能なものであり、座面形成部に対して付勢方向に対向する外力が掛かると、座面形成部を腰掛け姿勢に変更できることを特徴とする。
【００１０】
本発明の遊技場用椅子は、隣接する椅子同士の間隔を十分に確保するべく、着座部の姿勢を変更できる構成としている。即ち、本発明では、着座部の構成部位たる座面形成部を、ヒンジ部を基準に、遊技機に対して左方向、右方向あるいは左右双方向に傾倒可能とし、付勢機構によって、座面形成部が傾倒した状態（収納姿勢）を維持できる構成とされている。これにより、収納姿勢をとった座面形成部は、遊技機に対して左右方向に広がる領域に占める割合を小さくできるため、隣接する別の椅子との間隔を拡げることが可能となる。即ち、本発明によれば、付勢機構によって座面形成部の収納姿勢が維持されている限り、当該座面形成部を備えた椅子は隣接する別の椅子との間隔を広く維持できるため、遊技者が腰掛ける際に当該椅子同士の間を通過しづらいと感じることがない。これにより、遊技者は、座席に着き易くなる。
【００１１】
また、収納姿勢は着座可能な腰掛け姿勢から傾倒した姿勢、つまり座面形成部は遊技機に対して左右方向に移動した姿勢ではなく、あくまで傾倒した姿勢であり、さらに前記したように、遊技機に対して左右方向に広がる領域に占める割合が小さいため、遊技者が腰掛けた椅子に隣接する別の椅子が空席状態の場合、当該遊技者が隣接する別の椅子から圧迫感を感じるようなおそれがない。
【００１２】
また、本発明の遊技場用椅子は、座面形成部に対して付勢方向に対向する外力が掛かると、座面形成部は腰掛け姿勢に変更される構成であるため、腰掛ける際に遊技者に要する手間が殆どない。例えば、座面形成部が左方向又は右方向に傾倒する構成であれば、傾倒状態の座面形成部を起こした状態にしたり、座面形成部が左右方向に傾倒、つまり座面形成部が遊技機に対して左右方向中途が折れ曲がる（例えばヒンジ部を基準に上に凸に折れ曲がる）構成であれば、折れ曲がり状態を平坦にした状態にするだけである。
以上のように、本発明によれば、遊技者が着座する前の隣接した椅子同士の間隔を広く確保することができる。また、既に着座した遊技者が隣接する椅子によって圧迫感を感じることもない。また、腰掛ける際に要する椅子の姿勢変更の手間も殆ど掛からないため利便性が高い。
【００１３】
請求項１に係る発明は、座面形成部は、ヒンジ部を介して屈曲するもので、遊技機に対して左右方向両端側が互いに近接・離反する方向に移動し、屈曲した姿勢たる収納姿勢と、着座可能なほぼ平坦な姿勢たる腰掛け姿勢とをとるものであり、座面形成部に遊技者が腰掛けると、座面形成部は腰掛け姿勢に変更されることを特徴とする。
【００１４】
かかる構成によれば、座面形成部は、ヒンジ部を介して、遊技機に対して左右方向両端側を互いに近接・離反する方向に移動させることができるため、当該座面形成部を備えた椅子と隣接する左右双方の椅子との間隔を同時に広げた状態にすることが可能である。即ち、本発明によれば、収納姿勢をとった椅子に腰掛ける際に、当該椅子と左側に隣接する椅子との間を通過する場合や、当該椅子と右側に隣接する椅子との間を通過する場合のどちらの場合であっても、遊技者が当該椅子同士の間を通過しづらいと感じることがない。
また、本発明では、座面形成部をほぼ平坦にした姿勢を腰掛け姿勢としているため、例えば、座面形成部がヒンジ部を基準として、上に凸となるように折れ曲がる構成とすれば、遊技者が普段通り椅子に腰掛ける動作をすることで、座面形成部が腰掛け姿勢に変更されるため、椅子の姿勢を変更するという煩わしい手間がなく便利である。
【００１５】
本発明の遊技場用椅子は、前記付勢機構は、バネと、１組の摺動体を有した直動部材とを備え、バネは１組の摺動体が互いに近接する方向に付勢するものであって、前記座面形成部は、摺動体の動作に連動して姿勢が変更されるものである。（請求項１）
請求項２に係る発明は、前記直動部材は、前記１組の摺動体の移動をガイドするレール部材を有し、前記１組の摺動体は、前記レール部材に沿って移動可能であることを特徴とする請求項１に記載の遊技場用椅子である。
請求項３に係る発明は、前記座面形成部は、前記ヒンジ部を介して２つの部材が回動可能に連結されていることを特徴とする請求項１又は２に記載の遊技場用椅子である。
【発明の効果】
【００１６】
本発明の遊技場用椅子では、当該椅子の座面形成部がヒンジ部を介して、遊技機に対して左方向及び／又は右方向に傾倒し、その傾倒した収納姿勢が付勢機構によって維持される構成であるため、遊技者が収納姿勢をとった椅子に腰掛ける際に、椅子同士の間が狭すぎて通りにくいと感じることがない。また、本発明では、座面形成部が隣接する椅子に近接移動することはなく、単に傾倒姿勢をとるだけであるため、当該傾倒姿勢たる収納姿勢の椅子が既に椅子に腰掛けた遊技者に対して圧迫感を与えることがない。
【図面の簡単な説明】
【００１７】
【図１】本発明の実施形態に係る遊技場用椅子を備えた遊技機島の一部を示した正面図である。
【図２】図１の第一実施形態に係る遊技場用椅子を示す斜視図である。
【図３】図２の遊技場用椅子を示す分解斜視図である。
【図４】クッション部の断面図である。
【図５】摺動体を概念的に示した図で、（ａ）は斜視図で、（ｂ）は断面図である。
【図６】図３の遊技場用椅子における背もたれ部の基材を別の角度から示した斜視図である。
【図７】図２の遊技場用椅子を正面から見た説明図である。
【図８】着座部と背もたれ部と脚部との接続関係を示す説明図である。
【図９】（ａ）〜（ｃ）は、遊技場用椅子を姿勢変更した際の各部材の動作を示す説明図である。
【図１０】第二実施形態の遊技場用椅子を示す一部透明化した斜視図である。
【図１１】（ａ）〜（ｃ）は、図１０に示す遊技場用椅子を姿勢変更した際の各部材の動作を示す概念図である。
【図１２】第三実施形態の遊技場用椅子を示す概念図であり、（ａ）〜（ｃ）は、姿勢変更した際の各部材の動作を示す。
【図１３】第三実施形態の遊技場用椅子の変形例を示す図で、（ａ）は収納姿勢を示す説明図で、（ｂ）は腰掛け姿勢を示す説明図である。
【発明を実施するための形態】
【００１８】
以下に、本発明の第一実施形態に係る遊技場用椅子１について説明する。
本実施形態の遊技場用椅子１は、図１に示すように、パチンコ機やスロット機等の遊技機３０が群をなした遊技機群（所謂遊技機島）に設置されるもので、遊技者が遊技する際に腰掛けるものである。具体的には、遊技場用椅子１は、並列的に並べられた各遊技機３０に対向するように１脚ずつ配されており、各遊技機３０の設置位置に依存した配置とされている。
【００１９】
本実施形態の遊技場用椅子１は、図２に示すように、遊技者が腰掛けた際に当該遊技者のでん部が置かれる着座部２と、遊技者が腰掛けてもたれた際に当該遊技者の背中が接する背もたれ部３と、着座部２及び背もたれ部３を床面から離れた位置で支持する脚部５とによって構成されている。
【００２０】
着座部２は、図３に示すように、クッション部６と、そのクッション部６が保持される座面形成部７と、付勢機構８とを備えている。
クッション部６は、図４に示すように、衝撃を緩和する機能を備えたクッション材２７と、そのクッション材２７を一定の形状に保持しカバーするカバー部材２８とを有する。即ち、クッション部６は、カバー部材２８内部にクッション材２７が充填された構成である。
【００２１】
座面形成部７は、樹脂の射出成形によって成形された２つのケース部材１１、１２と、そのケース部材１１、１２を連結する２つのケース回動ヒンジ部材２１とを有し、隣接するように並べた２つのケース部材１１、１２を、ケース回動ヒンジ部材２１によって回動可能に接続したものである。
ケース部材１１、１２は、図３に示すように、平面視した形状がほぼ長方形で、１面が開放された筐体である。即ち、ケース部材１１、１２は、開放面と対向する位置の底壁３５と、その底壁３５を囲繞するように配された周壁３６とを有し、底壁３５と周壁３６とによって座部クッション保持空間３４が形成されている。即ち、ケース部材１１、１２の座部クッション保持空間３４は、ケース部材１１、１２の開放面側からクッション部６が嵌め込まれる部分である。なお、クッション部６は、接着剤等によって座部クッション保持空間３４に固定される。
【００２２】
ケース回動ヒンジ部材２１は、公知の平蝶番であり、ケース部材１１、１２の双方の底壁３５に固定されるものである。即ち、ケース回動ヒンジ部材２１は、ケース部材１１、１２を回動可能に接続し、ケース部材１１、１２の動作を、底壁３５同士がヒンジを基準として、近接・離反するように制限することができるものである。換言すれば、ケース回動ヒンジ部材２１は、ケース部材１１、１２をそれぞれ、右方向又は左方向に傾倒した状態に姿勢を変更することを可能にするものである。
【００２３】
付勢機構８は、２組の直動部材９、１０と、引っ張りバネ１８とを有し、直動部材９、１０が座面形成部７と接続されて、引っ張りバネ１８の作用によって、その座面形成部７の姿勢を一定に維持することを可能とする機構である。
直動部材９、１０はそれぞれ、公知の直動案内手段であって、２つの同一構造の摺動体１３、１５と、摺動体１３、１５の移動をガイドするレール部材１６とを有し、レール部材１６に沿って摺動体１３、１５が移動するものである。
【００２４】
摺動体１３、１５は、図５（ｂ）に示すように、断面形状がほぼＣ型の部材で、図５（ａ）に示すように、スライド保持部２３と、引っ張りバネ１８を保持する被係合部２５とを有する。
スライド保持部２３は、各摺動体１３、１５の内部中途に設けられた２つ１組の突起部であり、当該突起部は互いに近接する方向（内側方向）に突出した構成とされている。そして、このスライド保持部２３は、後述するレール部材１６に対してスライド可能に係合する。
被係合部２５は、平面視した形状がコの字型のコの字部３２と、コの字部３２の端部から外方向に張り出した係合フランジ部３３とを組み合わせて形成された金具であり、摺動体１３、１５の移動方向の一方の端面にそれぞれ取り付けられている。具体的には、被係合部２５は、摺動体１３、１５が互いに向き合う側の端面にそれぞれ設けられている。
なお、係合フランジ部３３には、ネジ等の締結部材を挿通する孔が形成されており、その孔を介して摺動体１３、１５本体に固定されている。
【００２５】
レール部材１６は、外観がほぼ直方体の部材であって、スライド係合部２４と、２つの固定用の貫通孔２６を有する。
スライド係合部２４は、レール部材１６の対向する１組の長手方向側面に形成された溝で、摺動体１３、１５のスライド保持部２３がスライド可能に係合する部分である。
貫通孔２６は、レール部材１６の厚み方向に貫通した孔であり、ネジ又はボルト等の締結部材が螺合される孔である。
なお、レール部材１６には、所定の位置に、図示しないストッパーが設けられ、摺動体１３、１５の可動領域が制限されている。
【００２６】
引っ張りバネ１８は、公知のそれと同様のものが採用されており、摺動体１３、１５同士が互いに引き合うような付勢力を作用させるものである。即ち、引っ張りバネ１８は、両端が角フックのものが採用されており、摺動体１３、１５の被係合部２５に係合可能な構成とされている。なお、引っ張りバネ１８の両端形状は、角フックに限らず、丸フックでも、半丸フック等でも構わない。
【００２７】
背もたれ部３は、着座部２に対してほぼ垂直に設けられるもので、金属又は樹脂等で構成された基材２９と、遊技者が腰掛けてもたれた際に当該遊技者の背中が当接するクッション部３１とを備え、基材２９にクッション部３１が保持された構成である。
基材２９は、クッション部３１が保持される１面が開放された筐体部３７と、後述する脚部５に固定される接続部３８とを有する。
【００２８】
筐体部３７は、図６に示すように、正面視した形状がほぼ長方形状の部分であり、底壁４０と底壁４０を囲繞するように配された周壁４１とを有し、底壁４０と周壁４１とによって背もたれクッション保持空間４４が形成されている。即ち、筐体部３７の背もたれクッション保持空間４４は、筐体部３７の開放面側からクッション部３１が嵌め込まれる部分である。なお、クッション部３１は、接着剤等によって背もたれクッション保持空間４４に固定される。
【００２９】
接続部３８は、筐体部３７の周壁４１を形成するいずれか１つの壁面（図６では下方の側壁）から延びた部分で、側面視した形状が滑らかな「Ｌ」字型とされた部分である。そして、接続部３８には、筐体部３７側の端部（基端側端部）と反対側の端部（先端側端部）側に、固定孔４２が設けられている。なお、固定孔４２は、ネジ又はボルト等の締結部材が螺合される孔である。
【００３０】
脚部５は、着座部２及び背もたれ部３を遊技場の床面から所定の高さに維持できる支持部材であって、長尺状の本体部４５と、本体部４５の端部に一体的に形成されたフランジ部４６、４９と、フランジ部４６に固定された取付部４７とで構成されている。
【００３１】
本体部４５は、長尺状の丸パイプであり、当該丸パイプの端部にそれぞれ、フランジ部が取り付けられている。即ち、本体部４５は、一方の端部側に円形状のフランジ部４９が設けられ、他方の端部側には方形状のフランジ部４６が設けられている。
なお、いずれのフランジ部４６、４９においても、ネジ又はボルト用の孔が形成されており、当該孔にネジ又はボルト等の締結部材を螺合する構成とされている。
【００３２】
取付部４７は、直方体状の内空部材であって、着座部２が取り付けられる複数の取付孔（図示しない）と、フランジ部４６及び背もたれ部３が接続される接続孔（図示しない）が設けられている。
なお、取付孔及び接続孔は、ネジ又はボルト等の締結部材が螺合される孔であり、接続孔は取付部４７の下面（フランジ部４６に対向する面）側に位置し、取付孔は取付部４７の上面（前記下面と対向する面）側に位置する。
【００３３】
次に、本実施形態に係る遊技場用椅子１の各構成部材の位置関係について説明する。
本実施形態に係る遊技場用椅子１は、図１に示すように、遊技機３０の正面に対向する位置に配されて、遊技場の床面に脚部５の一方の端部側に設けられたフランジ部４９を介して固定されている。そして、脚部５の他方の端部側は、図７、８に示すように、フランジ部４６に接続された取付部４７に着座部２及び背もたれ部３が固定されている。具体的には、着座部２は、取付部４７の上面側の面に固定され、背もたれ部３が、取付部４７の下面側に固定されている。
【００３４】
より詳細に説明すると、着座部２は、直動部材９、１０を構成するそれぞれのレール部材１６が互いに平行となるように並べられ、各レール部材１６の貫通孔２６と、脚部５の取付部４７の取付孔（図示しない）とを連通させた状態で、締結部材によって締結されている。そして、このレール部材１６に対して相対的に移動可能に係合された摺動体１３、１５に、座面形成部７が接続されている。
【００３５】
摺動体１３、１５と座面形成部７は、図７、８に示すように、公知の平蝶番たる補助ヒンジ部材４３を介して接続されており、座面形成部７が摺動体１３、１５に対して相対的に回動可能な構成である。より具体的には、補助ヒンジ部材４３は、座面形成部７に対しては、底壁３５であって図７の左右方向中途に配され、且つ、摺動体１３、１５に対しては、摺動体１３、１５の移動方向の他方の端面、つまり、被係合部２５が設けられた端面とは反対側の端面に位置するように接続されている。また、このとき、座面形成部７に対して外力による負荷がない状態であれば、座面形成部７のケース回動ヒンジ部材２１は、レール部材１６の図示しないストッパーによって、摺動体１３、１５のほぼ中央に位置する配置とされている。
一方、背もたれ部３は、接続部３８の固定孔４２と、取付部４７の下部に設けられた接続孔（図示しない）とを連通させた状態で、締結部材によって締結されている。
【００３６】
次に、本実施形態に係る遊技場用椅子１の使用時の動作について説明する。
本実施形態の遊技場用椅子１は、図９（ａ）に示すように、空席時には、着座部２の座面形成部７が上方に屈曲した姿勢（収納姿勢）が維持される。即ち、図９（ａ）に示すように、収納姿勢の遊技場用椅子１は、付勢機構８の構成部材たる引っ張りバネ１８の付勢力によって、摺動体１３、１５同士が互いに近接した状態であり、さらにこの状態に連動するように、座面形成部７がケース回動ヒンジ部材２１を基準として、ケース部材１１、１２の底壁３５の外側が互いに近接した状態が維持されている。換言すれば、収納姿勢の遊技場用椅子１は、座面形成部７がケース回動ヒンジ部材２１を基準に上向きに凸状に屈曲した状態であり、座面形成部７の遊技機３０に対する左右方向の広がり（座面形成部７が背もたれ部３の側面から外側にはみ出した長さｐ）が、減少させられた姿勢である。即ち、収納姿勢の遊技場用椅子１は、遊技機３０に対する左右方向に隣接する別の遊技場用椅子との間隔を広くした姿勢である。
【００３７】
そして、遊技者が収納姿勢の遊技場用椅子１に着席すると、遊技者の体重がクッション部６を介して座面形成部７に伝導されて、図９（ｃ）に示すように、当該座面形成部７がほぼ平坦な姿勢（腰掛け姿勢）に変更される。具体的には、図９（ｂ）に示すように、座面形成部７に伝導された体重（以下、単に外力という）が、摺動体１３、１５に伝導され、引っ張りバネ１８の付勢力と対向する方向に働く。即ち、この外力は、摺動体１３、１５を近接した状態から引き離す方向に働く。そして、外力が引っ張りバネ１８の付勢力以上となった瞬間から、摺動体１３、１５が互いに離反する方向に移動する。これにより、座面形成部７がケース回動ヒンジ部材２１を基準に上向き（ケース部材１１、１２の底壁３５の外側が互いに離反する方向）に回動するため、座面形成部７のはみ出し長さｘが前記はみ出し長さｐより大きくなる。そしてその後、座面形成部７がほぼ平坦な姿勢となれば、摺動体１３、１５の移動が制限されて姿勢が安定する。このとき、座面形成部７のはみ出し長さｘは、最大値たるはみ出し長さｑとなる。
なお、腰掛け姿勢の遊技場用椅子１において、遊技者が起立等によって引っ張りバネ１８に働いていた外力が解放されると、付勢力によって摺動体１３、１５は近接する方向に移動して、座面形成部７を再び屈曲した収納姿勢に変更する。
【００３８】
以上のように、本実施形態では、座面形成部７をケース回動ヒンジ部材２１によって屈曲可能とし、さらに付勢機構８によって収納姿勢を維持できる構成としたため、座面形成部７の収納姿勢が維持されている限り、隣接する椅子同士の間隔を広く維持することができる。即ち、座面形成部７の背もたれ部３の側面からのはみ出し長さｘを小さくできる。そのため、遊技者が腰掛ける際に当該椅子同士の間を通過しづらいと感じることがない。またこれにより、遊技者は座席に着き易くなる。
さらに、本実施形態では、収納姿勢の座面形成部６に遊技者が腰掛けるだけで、座面形成部７の姿勢が収納姿勢から腰掛け姿勢に変更されるため、煩わしい手間がなく便利である。
また、本実施形態では、収納姿勢は、着座可能な腰掛け姿勢から座面形成部７が左右に傾倒した姿勢、つまり座面形成部７は遊技機に対して左右方向に移動した姿勢ではなく、あくまで傾倒しただけの姿勢であるため、座面形成部６が腰掛け姿勢の際に占める以上の領域を要さない。即ち、収納姿勢の座面形成部７の遊技機３０に対する左右方向の広がりは、腰掛け姿勢の座面形成部７の遊技機３０に対する左右方向の広がりより小さい。これにより、本実施形態によれば、遊技者が腰掛けた椅子に隣接する別の椅子が空席状態の場合であっても、当該遊技者が隣接する別の椅子から圧迫感を感じるようなおそれがない。
【００３９】
上記実施形態では、直動部材９、１０と引っ張りバネ１８を備え、水平方向に移動する摺動体１３、１５に付勢力を作用させて、座面形成部７の収納姿勢を維持する構成を示したが、本発明はこれに限定されず、例えば、直動部材を用いることなく、鉛直方向に付勢力を作用させて、座面形成部７の収納姿勢を維持する構成であっても構わない。
なお、以下の説明では、上記実施形態と同一の部品等に関しては、同一の符番を符して説明を省略する。
【００４０】
第二実施形態の遊技場用椅子５１では、図１０に示すように、座面形成部５５のケース部材５６、５７を回動可能に接続するケース回動ヒンジ部材５８の支持軸５９を通常より長くし、その支持軸５９の両端部を圧縮バネ６０で鉛直方向上方に付勢して座面形成部５５の姿勢を屈曲した収納姿勢に維持できる構成としても構わない。
【００４１】
即ち、本実施形態の遊技場用椅子５１は、脚部６９のフランジ部４６に所定の大きさの支持板５３を固定し、その支持板５３に圧縮バネ６０を固定し、その圧縮バネ６０で支持軸５９の両端を支持した構成とされている。これにより、支持軸５９は、圧縮バネ６０の付勢力に対抗する外力が働いていない場合又はその付勢力よりも小さな外力が働いている場合においては、図１１（ａ）に示すように、支持板５３から鉛直方向所定の位置まで持ち上げられた状態が維持される。このとき、ケース回動ヒンジ部材５８の回動板６１は、重力の作用により、支持軸５９と支持板５３との間で垂れ下がったような姿勢が維持される。即ち、回動板６１は、支持軸５９を基点として、当該支持軸５９と対向する側の縁端に向かって下り勾配の傾倒姿勢となり、支持板５３に当接した位置で当該姿勢が維持される。そして、この回動板６１の姿勢に追従するように、回動板６１に固定されたケース部材５６、５７は、傾倒した姿勢、つまり上に凸状態で屈曲した収納姿勢が維持される。
【００４２】
そして、遊技者が収納姿勢の遊技場用椅子５１に着席すると、遊技者の体重が座面形成部５５に伝導されて、当該座面形成部５５がほぼ平坦な姿勢（腰掛け姿勢）に変更される。具体的には、図１１（ｂ）に示すように、座面形成部５５に伝導された体重（以下、単に外力という）が、ケース回動ヒンジ部材５８の支持軸５９を介して、圧縮バネ６０の付勢力と対向する方向に働く。即ち、この外力は、鉛直方向下方に働く。そして、外力が圧縮バネ６０の付勢力以上となった瞬間から、支持軸５９が鉛直方向下方に移動する。そして、その支持軸５９の移動に追従するように、座面形成部５５が支持板５３に近接する方向に移動する。その後、座面形成部５５のほぼ全体が、ほぼ平坦な姿勢となれば、支持軸５９及び座面形成部５５の移動が制限されて姿勢が安定する。
そして、腰掛け姿勢の遊技場用椅子５１において、遊技者が起立等によって圧縮バネ６０に働いていた外力が解放されると、付勢力によって支持軸５９は鉛直上方に移動して、座面形成部７を再び屈曲した収納姿勢に変更される。
なお、本実施形態では、支持板５３とケース回動ヒンジ部材５８との間に、スペーサ７０を設け、腰掛け姿勢をより平坦に維持できる構成にすると共に、支持軸５９の鉛直方向の移動をガイドするガイド部材７１が設けられた構成にされている。
【００４３】
また、上記第一、第二実施形態では、座面形成部７、５５が２つのケース部材１１、１２、５６、５７を備え、２つのケース部材１１、１２、５６、５７の境界部分で、上に凸状態に屈曲する構成（二方向に傾倒する構成）を示したが、本発明はこれに限定されず、例えば、ケース部材を１部材とし、一方向に傾倒して収納姿勢となる構成であっても構わない。
【００４４】
即ち、第三実施形態の遊技場用椅子６２は、図１２（ａ）に示すように、脚部６９に固定された支持板６４と、座面形成部６３のケース部材６５とをヒンジ部材６７で回動可能に接続し、さらに支持板６４の上部側に圧縮バネ６６を取り付け、圧縮バネ６６の作用によって、支持板６４に対して座面形成部６３が一方向に傾倒する構成とされている。具体的には、遊技場用椅子６２は、ヒンジ部材６７が、支持板６４における脚部６９寄りに配されて、座面形成部６３の左右方向（図１２基準）中途を基準に傾倒する構成である。これにより、座面形成部６３は、圧縮バネ６６の付勢力に対抗する外力が働いていない場合又はその付勢力よりも小さな外力が働いている場合においては、座面形成部６３の左右方向中途を基準に、遊技機３０に対して左方向（又は右方向）に傾倒した収納姿勢が維持される。
【００４５】
そして、遊技者が収納姿勢の遊技場用椅子６２に着席する際には、まず、図１２（ｂ）に示すように、当該遊技者自身が腰を掛けることができる程度の位置まで、座面形成部６３をヒンジ部材６７を基準に回動させて寝かせた状態にする。そして、その状態の座面形成部６３に着席して、座面形成部６３の姿勢を変更する。即ち、遊技者が座面形成部６３に着席すると、遊技者の体重が座面形成部６３に伝導されて、図１２（ｃ）に示すように、当該座面形成部６３がほぼ平坦な姿勢（腰掛け姿勢）に変更される。具体的には、座面形成部６３に体重（以下、単に外力という）が伝導されると、圧縮バネ６６には付勢力と対向する方向に外力が働く。そしてその後、座面形成部６３が、ほぼ平坦な姿勢となれば、座面形成部６３の移動が支持板６４によって制限されて姿勢が安定する（腰掛け姿勢）。
そして、腰掛け姿勢の遊技場用椅子６２において、遊技者が起立等によって圧縮バネ６６に働いていた外力が解放されると、付勢力によって座面形成部６３はヒンジ部材６７を基準に回動して、座面形成部６３を再び一方向に傾倒した収納姿勢に変更される。
なお、本実施形態に採用された支持板６４は、中心がフランジ部４６の中心からずれた配置で固定されている。また、本実施形態では、支持板６４と座面形成部６３との間にスペーサ７０を設け、ヒンジ部材６７がスペーサ７０に跨るように取り付け、腰掛け姿勢を平坦に維持できる構成としている。
また、本実施形態においては、遊技者が着座している状態であっても、遊技者の重心の位置によっては、不意に座面形成部６３が収納姿勢に変更されるおそれがあるため、それを予め防止する腰掛け姿勢ロック機構を設ける構成を付加することが好ましい。
【００４６】
第三実施形態では、座面形成部６３のケース部材６５を、座面形成部６３の図１２の左右方向中途を基準に、回動可能に接続した構成を示したが、本発明はこれに限定されず、ケース部材６５を脚部６９に固定された支持板６４の端部に回動可能に接続する構成であっても構わない（第三実施形態の変形例）。具体的には、図１３（ａ）に示すように、脚部６９のフランジ部４６に支持板６４を固定し、その支持板６４の左右方向（図１３基準）一方の端部にケース部材６５を、ヒンジ部材６７を介して回動可能に接続し、さらに支持板６４に圧縮バネ６６を取り付け、その圧縮バネ６６の作用によって、支持板６４に対してケース部材６５が一方向に傾倒する構成である。これにより、圧縮バネ６６の付勢力に対抗する外力が働いていない場合又はその付勢力よりも小さな外力が働いている場合においては、一方向に傾倒した姿勢が維持される。具体的には、座面形成部６３は、ヒンジ部材６７を基準として、遊技機３０に対して右方向（又は左方向）に傾倒した収納姿勢が維持される。そして、遊技者が着席する際においては、座面形成部６３を支持板６４に近接する方向に回動して寝かせた状態にし、その状態で当該遊技者が着席すると座面形成部６３が腰掛け姿勢に変更される（図１３（ｂ））。
また、本実施形態においては、支持板６４と座面形成部６３との間にスペーサ７０を設け、ヒンジ部材６７をスペーサ７０に取り付け、腰掛け姿勢を平坦に維持できる構成としている。
【００４７】
上記実施形態では、着座部２が脚部５の軸回り方向に回転しない構成を示したが、本発明はこれに限定されず、公知の回転機構を備えた回転装置を設け、着座部２が脚部５に対して相対的に回転する構成を備えたものであっても構わない。
【００４８】
上記第一実施形態では、２組の直動部材９、１０を設けた構成を示したが、本発明はこれに限定されず、１組の直動部材のみで構成したものであっても構わない。
【符号の説明】
【００４９】
１、５１、６２    遊技場用椅子
２    着座部
３    背もたれ部
５    脚部
７、５５、６３    座面形成部
８    付勢機構
９、１０    直動部材
１１、１２、５６、５７    ケース部材
１３、１５    摺動体（摺動部材）
１６    レール部材
１８    引っ張りバネ
２１    ケース回動ヒンジ部材（ヒンジ部）
６７、６８    ヒンジ部材（ヒンジ部）
【図１】
0005785458.tif 000002
【図２】
0005785458.tif 000003
【図３】
0005785458.tif 000004
【図４】
0005785458.tif 000005
【図５】
0005785458.tif 000006
【図６】
0005785458.tif 000007
【図７】
0005785458.tif 000008
【図８】
0005785458.tif 000009
【図９】
0005785458.tif 000010
【図１０】
0005785458.tif 000011
【図１１】
0005785458.tif 000012
【図１２】
0005785458.tif 000013
【図１３】
0005785458.tif 000014